(57)【要約】      （修正有）【課題】ランドセルの背負ベルトに使用されるバックルや金属製の連結金具による学童の怪我を防止すること。【解決手段】底面の左右対称位置に一対のベルト孔８を設けたランドセル本体２の外底面で、前記ベルト孔８と合致する位置に固定ケース３１の挿通穴を合致させて取付け、該固定ケース３１の上面に取付けた保護カバー４５を一方向にスライドさせて挿通穴３５を開口し、次いで、背負ベルト２０の先端を固定ケース３１の挿入孔からベルト孔８を介してランドセル本体２内に挿入させ、前記背負ベルト２０の先端に設けた複数の小孔のうち、任意小孔を固定ケース３１の係止突起に嵌挿した後、前記保護カバー４５を元の位置までスライドさせて前記挿通穴３５を閉口して背負ベルト２０を着脱且つ、長さ調節可能に連結したことを特徴とする。【選択図】図１
0003135046.tif 000002
【実用新案登録請求の範囲】
【請求項１】
ランドセル本体（２）の底面左右対称位置に一対のベルト孔（８、８）を設け、該ベルト孔に挿入する背負いベルト（２０）の挿入部（２２）を着脱且つ、長さ調節可能に連結するベルト連結具（３０）を前記ベルト孔（８、８）と合致する位置にそれぞれ取付けて形成したことを特徴とする改良型ランドセル。
【請求項２】
前記ベルト連結具（３０）が、幅方向の両端にガイド鍔部（３２）を設け、長手方向略両端に前記ランドセル本体（２）に取付けるはとめ（Ｓ）を挿通する一対のねじ孔（３３）を設け、略中央に前記ランドセル本体（２）のベルト孔（８）と合致する挿通穴（３５）を形成し、該挿通穴と前記一方のねじ孔（３３ａ）との間で、前記背負ベルト（２０）の挿入部（２２）に設けた小孔（２３）に挿入する係止突起（３６）を一体に樹立し、前記挿通穴（３５）と他方のねじ孔（３３ｂ）との間で、一端を挿通穴の端部から樹立させて先端を水平に折り曲げて形成した可撓性を有する一対の支持杆（３８）の先端幅方向に可撓段部（４０）を一体に設けた固定ケース（３１）と、
前記固定ケース（３１）のガイド鍔部（３２）と嵌合するガイド溝部（４６）を幅方向の両端に設け、前記固定ケース（３１）の可撓段部（４０）と嵌合する凹溝部（４７）を長手方向の一端に形成し、前記固定ケース（３１）の係止突起（３６）が挿通する係止溝部（４９）を他端の裏面中央に設け、該係止溝の両側で前記ガイド溝部（４６）寄りに係止爪部（５０）を設けた保護カバー（４５）とからなり、
前記固定ケース（３１）のガイド鍔部（３２）に保護カバー（４５）のガイド溝部（４６）を嵌合し、該保護カバーを固定ケース（３１）の上面長手方向にスライド可能に取付けて形成したことを特徴とする請求項１記載の改良型ランドセル。
【請求項３】
前記ベルト連結具（３０）は、ランドセル本体（２）の前記ベルト孔（８、８）と合致する位置に固定ケース（３１）の挿通穴（３５）を合致させて取付け、該固定ケース（３１）の上面に取付けた保護カバー（４５）を一方向にスライドさせて挿通穴（３５）を開口し、次いで、背負ベルト（２０）の先端を固定ケース（３１）の挿入孔（３５）からベルト孔（８、８）を介してランドセル本体（２）内に挿入させ、前記背負ベルト（２０）の先端に設けた複数の小孔のうち、任意小孔（２３）を固定ケース（３１）の係止突起（３６）に嵌挿した後、前記保護カバー（４５）を元の位置までスライドさせて前記挿通穴（３５）を閉口して背負ベルト（２０）を着脱且つ、長さ調節可能に連結したことを特徴とする請求項１または２記載の改良型ランドセル。
【考案の詳細な説明】
【技術分野】
【０００１】
本考案は、背負ベルト連結用のベルト連結具をランドセル本体の底面に取付けた改良型ランドセルに関する。
【背景技術】
【０００２】
従来、学童用ランドセル７０は、図１９に示すごとく、背板７２と、各種教材を収容する大、中、小からなる収容室７３と、該収容室を覆う蓋板７４とによりランドセル本体７１を構成し、前記背板７２の上端中央に設けた背環（図示せず）に一端を取付け、他端をランドセル本体の底面に取付けた金属製の連結金具７５と連結する一対の背負ベルト（図示せず）とにより構成されている。
【０００３】
このランドセル７０に取付けられている背負ベルトは、長尺な上ベルトと、短尺な下ベルト８３とからなり、下ベルト８３は、図１９、２０に示すごとく、ランドセル７０の底面中央に取付けた金属製の連結金具７５の左右に取付けただるま環７７に回転可能に連結されている。
【０００４】
この下ベルト８３は、図２０に示すごとく、先端に背負いベルトの長さを調節可能に連結するためのバックル８５を取付け、他端には前記連結金具の左右に回転可能に取付けただるま環７７と接続する連結環７８を取付けて形成され、背負いベルトの先端に設けた複数の係止孔（図示せず）と着脱可能に連結して背負いベルトの長さを調節して使用することが知られている（参考文献１、２）。
【特許文献１】特開平９−２６２１１４号
【特許文献２】実開昭６３−１２０９１９号
【０００５】
前記ランドセル７０の背負ベルトの長さを調節する短尺ベルト８３は、前記したごとく、一端をランドセル本体７１の底面に取付けた金属製の連結金具７５の左右に回転可能に取付けただるま環７７に連結し、他端に金属製のバックル８５を取付けて形成してあるため、ランドセル７０を背負うときや降ろすときに、このバックル部分が脇腹に当たり痛くなったり、または、登下校時における友人との遊びに夢中になると、前記短尺ベルト８３に連結したバックルの針部によって怪我をしたり、また、ランドセル本体が傷つく場合などがあった。
【０００６】
そのため、短尺ベルト８３のバックル８５による怪我やランドセル本体が傷つくのを防止するため、バックル８５の裏側に保護カバー８６を取付けたり、連結具７５の表面を曲状に形成して極力凹凸部分をなくし不測による怪我やランドセル本体が傷つくのを防止している。
【０００７】
しかし、ランドセル本体７１の底面に金属製の連結金具７５を取付けてあることや、短尺ベルト８３に金属製のバックル８５を取付けてあると、このバックルで学童が怪我をしやすい。また、ランドセル本体７１の底面に取付ける金属製の連結金具７５は、製造工程が複雑で重量が増すなどの問題点を有している。
【考案の開示】
【考案が解決しようとする課題】
【０００８】
本考案が解決しようとする課題は、学童が背負うランドセルの背負ベルトの長さを調整する短尺ベルトをなくし、背負ベルトの先端挿入部を直接ランドセル本体に取付けることにより、ランドセル本体の周囲から金属部品を少なくすことにより、学童の怪我を予防すると共に、ランドセルを構成する部品数を減らして簡略化及び軽量化を図ることを目的とするものである。
【課題を解決するための手段】
【０００９】
上記課題を達成するために本考案は、ランドセル本体２の底面左右対称位置に一対のベルト孔８、８を設け、該ベルト孔に挿入する背負いベルト２０の挿入部２２を着脱且つ、長さ調節可能に連結するベルト連結具３０を前記ベルト孔８、８と合致する位置にそれぞれ取付けて形成したことを特徴とする。また、前記ベルト連結具３０が、幅方向の両端にガイド鍔部３２を設け、長手方向略両端に前記ランドセル本体２に取付けるはとめＳを挿通する一対のねじ孔３３を設け、略中央に前記ランドセル本体２のベルト孔８と合致する挿通穴３５を形成し、該挿通穴と前記一方のねじ孔３３ａとの間で、前記背負ベルト２０の挿入部２２に設けた小孔２３に挿入する係止突起３６を一体に樹立し、前記挿通穴３５と他方のねじ孔３３ｂとの間で、一端を挿通穴の端部から樹立させて先端を水平に折り曲げて形成した可撓性を有する一対の支持杆３８の先端幅方向に可撓段部４０を一体に設けて形成した固定ケース３１と、幅方向の両端に前記固定ケース３１のガイド鍔部３２と嵌合するガイド溝部４６を設け、長手方向の一端に前記固定ケースの可撓段部４０が嵌合する凹溝部４７を形成し、他端の裏面中央に、前記固定ケース３１の係止突起３６が挿通する係止溝部４９と、該係止溝の両側で前記ガイド溝部４６寄りに係止爪部５０を設けて形成した保護カバー４５とからなり、前記固定ケース３１のガイド鍔部３２に保護カバー４５のガイド溝部４６を嵌合して、該保護カバーを固定ケース３１の上面長手方向にスライド可能に取付けて形成したことを特徴とする。さらには、前記ベルト連結具３０は、ランドセル本体２の外底面で前記ベルト孔８、８と合致する位置に固定ケース３１の挿通穴３５を合致させて取付け、該固定ケース３１の上面に取付けた保護カバー４５を一方向にスライドさせて挿通穴３５を開口し、次いで、背負ベルト２０の先端を固定ケース３１の挿入孔３５からベルト孔８を介してランドセル本体２内に挿入させ、前記背負ベルト２０の先端に設けた複数の小孔のうち、任意小孔２３を固定ケース３１の係止突起３６に嵌挿した後、前記保護カバー４５を元の位置にスライドさせて前記挿通穴３５を閉口して背負ベルト２０を着脱且つ、長さ調節可能に連結したことを特徴とする。
【００１０】
したがって、ランドセル本体２の底面に設けたベルト孔８と合致する位置に挿入孔３５を有した固定ケース３１を固定し、該固定ケースの上面に摺動可能に保護カバー４５を取付けて形成したベルト連結具３０を取付け、一対の背負ベルト２０の先端を左右のベルト連結具３０にそれぞれ着脱可能に連結することにより、金属製の連結金具を使用することなくランドセルを形成することができるので、学童の金属金具による怪我を防止して安全に使用することができ、また、部品数を減らすことによりランドセルの軽量化を図ることができる。
【考案を実施するための最良の形態】
【００１１】
本考案の実施形態を図面に基づいて説明すると、図１は本考案にかかるランドセルの底面図、図２はランドセル本体の内底面図、図３は背負ベルトの平面図、図４はベルト連結具の分解斜視図、図５はベルト連結具の平面図、図６はベルト連結具の左側面図、図７は図４のＡ―Ａ断面図、図８は図６のＢ―Ｂ断面図、図９は図６のＣ―Ｃ断面図、図１０はベルト連結具を構成する固定ケースの平面図、図１１は図９の左側面図、図１２は図９のＤ―Ｄ断面図、図１３はベルト連結具を構成する保護カバーの底面図、図１４は保護カバーの右側面図、図１５は図１２のＥ―Ｅ断面図である。ランドセル１は、背板３、大収容部５、中収容部６、小収容部７および蓋板９とからなるランドセル本体２と、一端を背板３上部中央に取付けた背環（図示せず）に連結した一対の背負ベルト２０と、前記ランドセル本体２の外底面で前記大収容部５の左右両端の対象位置に取付けたベルト連結具３０とにより構成されている。
【００１２】
前記ランドセル本体２を構成する大収容部５の底面には、図１に示すごとく、左右両側の対称位置の背板側にベルト孔８をハの字状に位置し、外底面の中央には、蓋板９を開閉可能に止める尾錠１２の雄部１２ａを取付け、蓋板９の下端に取付けた引張帯１０の先端に設けた雌部１２ｂと着脱可能に取付けてある。
【００１３】
前記雄部１２ａは先端に回動つまみ１３を設け、雌部１２ｂは、前記雄部１２ａの回転つまみ１３が挿通する孔１４を設けてある。蓋板９の閉口は、雄部１２ａの回動つまみ１３を蓋板９の雌部１２ｂに挿通し、該回動つまみを雌部１２ｂから突出させて孔１４と直角方向に回転させることにより閉口させることができる。
【００１４】
前記尾錠１２の他の実施例として、ランドセル本体２の小収容部７の正面中央下部に尾錠（図示せず）の雄部を取付け、蓋板９の下端中央に設けた雌部と着脱可能に取付けて形成することも可能である。さらには、前記形態だけでなく、雄部が、磁石または雄面ファスナで、蓋板９側に設けた雌部が、磁石に吸着する鉄板または雌面ファスナで形成してもよい。
【００１５】
図２に示すごとく、前記ランドセル本体２の大収容室５の内底面には中敷板１５を敷き、該中敷板の表面に前記ベルト孔８と合致する位置にそれぞれガイド孔１６を設け、該ガイド孔の幅方向両側には、前記ベルト孔８と挿通穴３５に形成した長尺辺の両側にガイド板１７を位置させることにより、背負ベルト２０の先端が前記ベルト孔８や挿通穴３５の枠辺に引っかからずにスムースに大収容室５に挿通することができるようにしてある。さらには、前記大収容室５の内底面には、挿通された背負ベルト２０の先端が、よじれるのを防止するベルトガイド（図示せず）を取付けてもよい。さらにはまた、前記大収容室５の内底面には、中敷板１５だけではなく、目隠し用の底板（図示せず）を敷くことは勿論である。
【００１６】
前記背負ベルト２０は、図３に示すごとく、一対の長尺で帯状に形成した背負部２１の先端にランドセル本体２内に挿通する挿入部２２を一体に形成し、前記挿入部２２の長手方向に複数の係止孔２３を一列で等間隔に設けてある。この背負ベルト２０の挿入部２２を前記ランドセル本体２の外底面に取付けたベルト連結具３０に着脱可能に連結して背負ベルト２０の長さを調節可能に形成してある。
【００１７】
前記ベルト連結具３０はそれぞれ硬質合成樹脂材により形成され、図１、４〜９に示すごとく、ランドセル本体２の外底面で、前記尾錠１２の左右両側で、ベルト孔８と合致する位置に取付け、前記ランドセル本体２の外底面に取付ける固定ケース３１と、該固定ケースの上面に摺動可能に取付ける保護カバー４５とにより形成してある。
【００１８】
前記固定ケース３１は、図４、１０〜１２に示すごとく、幅方向を断面凹型に形成し、両端上方を水平方向に折曲げてガイド鍔部３２を形成し、長手方向の略両端に固定ケース３１をランドセル本体２に取付けるためのねじ、ビス、または、はとめＳを挿通する一対のねじ孔３３を設け、略中央に前記ランドセル本体２のベルト孔８と合致する挿通穴３５を設けてある。前記固定ケース３１の挿通穴３５と、前記一方のねじ孔３３ａとの間に前記背負ベルト２０の挿入部２２に設けた小孔２３を挿入係止する係止突起３６を一体に樹立し、該係止突起の上端に背負ベルト脱落防止用の係止部３７を係止突起３６よりやや大径で一体に形成してある。
【００１９】
前記固定ケース３１の挿通穴３５と、前記他方のねじ孔３３ｂとの間で、一端を挿通穴３５の端部から樹立させて先端を水平に折り曲げて形成した可撓性を有する一対の支持杆３８を平行に設け、該支持杆の先端幅方向に上面に斜面部３９を有した可撓段部４０を一体に設けてある。前記可撓段部４０は、斜面部３９を上方から押し下げると、前記ガイド鍔部３２の上面と同一面より若干下方まで撓ませることができるように構成してある。
【００２０】
前記保護カバー４５は、図４、１３〜１５に示すごとく、幅方向の下方両端に前記固定ケース３１のガイド鍔部３２と嵌合するガイド溝４６を設け、該保護カバーの長手方向の一端に、前記固定ケース３１の可撓段部４０と係合する凹溝部４７を形成し、該凹溝部の上端に係止段部４８を突設し、この保護カバー４５の長手方向の他端裏面中央に、前記固定ケース３１の係止突起３６の先端に設けた係止部３７が挿通する係止溝部４９を設け、該係止溝部の両側で前記ガイド溝部４６寄りに保護カバー４５の脱落を防止する係止爪部５０を一体に設けて形成してある。
【００２１】
以下、本考案の実施形態の作用について説明すると、ランドセル１は、ランドセル本体２の大収容部５の底面の左右対称位置に一対のベルト孔８、８を設けて形成し、ランドセル本体２の外底面中央に尾錠１２を取付け、該尾錠の左右対称位置で前記ベルト孔８、８と合致する位置にそれぞれベルト連結具３０を取付けて形成してある。
【００２２】
前記ランドセル本体２の大収容室５の内底面に敷いた中敷板１５は、図１６に示すごとく、ガイド孔１６に設けたガイド板１７を、前記ベルト孔８と挿通穴３５の長尺辺の両側に位置させて背負ベルト２０の挿入部２２がスムースに大収容室５に挿通するようにしてある。
【００２３】
ベルト連結具３０を構成する固定ケース３１と保護カバー４５は、図４に示すごとく、保護カバー４５の右側ガイド溝部４６と固定ケース３１の左側ガイド鍔部３２とを嵌合させた後、該保護カバーを右方向にスライドさせると、保護カバー４５の先端下面が固定ケース３１の左側に設けた可撓段部４０の斜面部３９を押圧して下方に押し下げながら右方向にスライドする。
【００２４】
さらに保護カバー４５を右方向にスライドさせると、該保護カバーの係止溝部４７に固定ケース３１の係止突起３６の先端係止部３７が挿通し、該係止溝部の最深部で係止部３７が係止すると同時に、該保護カバーの裏面によって頭部を押さえられていた可撓段部４０が凹溝部４７に合致する。この可撓段部４０は支持杆３８の反発力で上昇して係合し、保護カバー４５の一端を可撓段部４０で支持し、他端を係止突起３６の係止部３７で固定する。したがって、保護カバー４５は、一方を係止突起３６で他方を可撓段部４０で係止することにより長手方向に移動するのを防止して固定ケース３１の挿通穴３５を閉口する（図５〜９）。
【００２５】
背負ベルト２０をランドセル本体２のベルト連結具３０に連結する場合、図１６に示すごとく、保護カバー４５を左側方向にスライドさせて固定ケース３１の挿通穴３５を開口する。保護カバー４５の移動は、該保護カバーの一端を係止している固定ケース３１の可撓段部４０を下方向に押圧して可撓段部４０の上端を保護カバー４５の左側端部から離脱させてフリーとしてから、左方向に移動させることにより保護カバー４５は可撓段部４０の上面を通過しながら移動する。
【００２６】
さらに保護カバー４５を左方向に移動させると、該保護カバーの底面に設けた係止爪部５０が固定ケース３１の可撓段部４０に当接して停止する。したがって、保護カバー４５が固定ケース３１から抜け落ちるのを防止することができる。
【００２７】
次いで、図１７に示すごとく、背負ベルト２０の挿入部２２先端を固定ケース３１の上方右側（背板側）から挿入孔３５とベルト孔８、８を介してランドセル本体２の大収容室５内に挿入すると共に、背負ベルト２０に設けた複数の小孔の中から所定小孔２３を係止突起３６に挿通する。
【００２８】
前記背負ベルト２０の挿入部２２の先端を挿通穴３５に挿入する際、該挿通穴とベルト孔８、８との長尺辺の両側に、中敷板１５のガイド板１７を取付けてあるため、背負ベルト２０の先端が挿通穴の入口に引っかかることなくスムースに大収容室５に挿通させることができる。
【００２９】
背負ベルト２０の小孔２３に係止突起３６を挿通して所定の長さにした後、図１８に示すごとく、保護カバー４５を右方向にスライドさせて挿通穴３５を閉口させる。この保護カバー４５を右方向にスライドさせると、固定ケース３１の挿入孔３５から係止突起３６側に位置した背負ベルト２０を挟着しながら移動し、背負ベルト２０の小孔２３から突出した係止突起３６の係止部３７が保護カバー４５の係止溝部４９内に挿通して最深部で係止部３７が係止すると、固定ケース３１の可撓段部４０が保護カバー４５の裏面から離脱して支持杆３８の弾発力で凹溝部４７に嵌合して嵌着することにより背負ベルト２０をベルト連結具３０に取付けることができる。
【００３０】
前記のごとく、背負ベルト２０の挿入部２２をランドセル本体２の底面に取付けた連結具３０への連結は、保護カバー４５を摺動させて開口させた固定ケース３１の挿入孔３５からベルト孔８を介してランドセル本体２内に挿入させると共に、背負ベルト２０の挿入部２２に設けた任意箇所の小孔２３を固定ケース３１の係止突起３６に嵌挿した後、前記保護カバー４５を元の位置にスライドさせて前記挿通穴３５を閉口させる簡単な操作で連結することができる。
【００３１】
ベルト連結具３０に連結された背負ベルト２０は、小孔２３を係止突起３６で係止し、ベルト連結具３０内に位置した背負ベルト２０の上下両面を固定ケース３１と保護カバー４５で圧着固定してあるため、背負ベルト２０を強く引いてもベルト連結具３０から抜ける恐れがなく、また、背負ベルト２０をベルト連結具３０とほぼ直角方向に強く引いても、固定ケース３１のガイド鍔部３２と、保護カバー４５のガイド溝部４６とをそれぞれ深く形成して嵌合してあるため、保護カバー４５が固定ケース３１から外れる恐れがなく頑丈で長期間使用することができる。
【００３２】
以上のごとく、背負ベルト２０をランドセル本体２の底面に設けたベルト連結具３０に連結する場合、下ベルトや金属製の連結金具を使用することなく、直接背負ベルト２０の先端をランドセル本体２内に収容することにより、学童の怪我を防止することができ、また、背負ベルト２０の先端もランドセル本体２内に収容するので邪魔にならずスッキリさせることができ、さらには、ランドセル１の部品数を減らすことにより、ランドセル１の重量の軽量化を図ることができるものである。
【図面の簡単な説明】
【００３３】
【図１】本考案にかかるランドセルの底面図である。
【図２】ランドセル本体の内底面図である。
【図３】背負ベルトの平面図である。
【図４】ベルト連結具の分解斜視図である。
【図５】ベルト連結具の平面図である。
【図６】ベルト連結具の左側面図である。
【図７】図４のＡ―Ａ断面図である。
【図８】図６のＢ―Ｂ断面図である。
【図９】図６のＣ―Ｃ断面図である。
【図１０】ベルト連結具を構成する固定ケースの平面図である。
【図１１】図９の左側面図である。
【図１２】図９のＤ―Ｄ断面図である。
【図１３】ベルト連結具を構成する蓋板の底面図である。
【図１４】蓋板の右側面図である。
【図１５】図１２のＥ―Ｅ断面図である。
【図１６】ベルト連結具に背負ベルトを装着する前の蓋板をスライドさせた状態の断              面図である。
【図１７】ベルト連結具の挿通穴とベルト孔に背負ベルトの挿入部を挿入した状態の              断面図である。
【図１８】ベルト連結具に背負ベルトを装着し、蓋板を被せた状態の断面図である。
【図１９】従来のランドセルの底面図である。
【図２０】従来の短尺ベルトの平面図である。
【符号の説明】
【００３４】
１    ランドセル
２    ランドセル本体
３    背板
５    大収容室
６    中収容室
７    小収容室
８    ベルト孔
９    蓋板
１２  尾錠
１５  中敷板
１６  孔
１７  ガイド板
２０  背負ベルト
２１  挿入部
２２  小孔
３０  ベルト連結具
３１  固定ケース
３２  ガイド鍔部
３３  ねじ孔
３５  挿通穴
３６  係止突起
３７  係止部
３８  支持杆
３９  斜面部
４０  可撓段部
４５  保護カバー
４６  ガイド溝部
４７  凹溝部
４８  係止段部
４９  係止溝部
５０  係止爪部
【図１】
0003135046.tif 000003
【図２】
0003135046.tif 000004
【図３】
0003135046.tif 000005
【図４】
0003135046.tif 000006
【図５】
0003135046.tif 000007
【図６】
0003135046.tif 000008
【図７】
0003135046.tif 000009
【図８】
0003135046.tif 000010
【図９】
0003135046.tif 000011
【図１０】
0003135046.tif 000012
【図１１】
0003135046.tif 000013
【図１２】
0003135046.tif 000014
【図１３】
0003135046.tif 000015
【図１４】
0003135046.tif 000016
【図１５】
0003135046.tif 000017
【図１６】
0003135046.tif 000018
【図１７】
0003135046.tif 000019
【図１８】
0003135046.tif 000020
【図１９】
0003135046.tif 000021
【図２０】
0003135046.tif 000022